(57)【要約】【課題】データ形式変換による処理負担を抑えつつ、携帯再生装置へのコンテンツデータの転送に要する時間を短縮する。【解決手段】情報処理方法は、受信されたコンテンツを、自装置１００によって再生可能な第１のデータ形式のコンテンツデータ１３１として記憶部１３０に格納するステップＳ１０１、自装置１００から転送されたコンテンツデータによってコンテンツを再生する携帯再生装置２００から提供される、再生されたコンテンツの部分に関する再生履歴情報１３７に基づいて、受信されたコンテンツの特定の部分を抽出するステップＳ１０３、および受信されたコンテンツの特定の部分に対応する第１のデータ形式のコンテンツデータ１３１を、携帯再生装置２００によって再生可能な第２のデータ形式のコンテンツデータ１３３に変換して記憶部１３０に格納するステップＳ１０７を含む。【選択図】図４
2011239140.tif 000002
【特許請求の範囲】
【請求項１】
受信されたコンテンツを、自装置によって再生可能な第１のデータ形式のコンテンツデータとして記憶部に格納するステップ、
自装置から転送されたコンテンツデータによってコンテンツを再生する携帯再生装置から提供される、再生されたコンテンツの部分に関する再生履歴情報に基づいて、前記受信されたコンテンツの特定の部分を抽出するステップ、および
前記受信されたコンテンツの特定の部分に対応する前記第１のデータ形式のコンテンツデータを、前記携帯再生装置によって再生可能な第２のデータ形式のコンテンツデータに変換して前記記憶部に格納するステップ
を含む情報処理方法。
【請求項２】
前記受信されたコンテンツの特定の部分は、時間単位で抽出される、請求項１に記載の情報処理方法。
【請求項３】
前記抽出するステップは、
前記受信されたコンテンツと同分類のコンテンツについて、前記再生履歴情報から再生パターンを抽出するステップ、および
前記受信されたコンテンツの特定の部分を、前記再生パターンに基づいて抽出するステップ
を含む、請求項１または２に記載の情報処理方法。
【請求項４】
前記受信されたコンテンツおよび前記再生されたコンテンツは、いずれもテレビ番組であり、
前記同分類のコンテンツは、前記テレビ番組の番組情報に基づいて決定される、請求項３に記載の情報処理方法。
【請求項５】
前記再生パターンは、前記番組情報に含まれる番組コーナー情報に対応付けて抽出される、請求項４に記載の情報処理方法。
【請求項６】
前記再生パターンは、前記番組情報に含まれる字幕情報のキーワードに対応付けて抽出される、請求項４または５に記載の情報処理方法。
【請求項７】
前記再生パターンは、前記再生履歴情報に含まれる再生状態に対応付けて抽出され、
前記第２のデータ形式のコンテンツデータは、前記再生パターンに対応付けられた前記再生状態で再生可能なデータに変換される、請求項３〜６のいずれか１項に記載の情報処理方法。
【請求項８】
前記第２のデータ形式のコンテンツデータは、前記再生履歴情報に含まれる再生時間に応じた長さで変換される、請求項１〜７のいずれか１項に記載の情報処理方法。
【請求項９】
コンテンツの部分を前記携帯再生装置に転送する順位を定義した転送順位情報に従って、前記第２のデータ形式のコンテンツデータを前記携帯再生装置に転送するステップをさらに含む、請求項１〜８のいずれか１項に記載の情報処理方法。
【請求項１０】
前記転送するステップは、
前記転送順位情報に含まれるコンテンツの部分に対応する前記第２のデータ形式のコンテンツデータが記憶部に格納されている場合、当該部分に対応する前記第２のデータ形式のコンテンツデータを前記携帯再生装置に転送し、それ以外の場合、当該部分を変換対象部分として記憶するステップ、および
前記変換対象部分に対応する前記第１のデータ形式のコンテンツデータを、前記第２のデータ形式のコンテンツデータに変換し、当該データを前記携帯再生装置に転送するステップ
を含む、請求項９に記載の情報処理方法。
【請求項１１】
前記転送順位情報は、前記再生履歴情報に基づいて生成される、請求項９または１０に記載の情報処理方法。
【請求項１２】
前記転送順位情報は、ユーザによる選択に基づいて生成される、請求項９または１０に記載の情報処理方法。
【請求項１３】
コンテンツデータを情報処理装置から取得するデータ取得部、
前記コンテンツデータによってコンテンツを再生する再生部、
前記再生部が再生したコンテンツの部分に関する再生履歴情報を生成し、記憶部に格納する履歴生成部、および
前記再生履歴情報を前記情報処理装置に転送する履歴転送部
を備える携帯再生装置と、
受信されたコンテンツを、自装置によって再生可能な第１のデータ形式のコンテンツデータとして記憶部に格納する録画部、
前記再生履歴情報を前記携帯再生装置から取得する履歴取得部、
前記再生履歴情報に基づいて、前記受信されたコンテンツの特定の部分を抽出する抽出部、
前記受信されたコンテンツの特定の部分に対応する前記第１のデータ形式のコンテンツデータを、前記携帯再生装置によって再生可能な第２のデータ形式のコンテンツデータに変換して前記記憶部に格納するデータ変換部、および
前記第２のデータ形式のコンテンツデータを前記携帯再生装置に転送するデータ転送部
を備える情報処理装置と
を含む情報処理システム。
【請求項１４】
受信されたコンテンツを、自装置によって再生可能な第１のデータ形式のコンテンツデータとして記憶部に格納する録画部、
自装置から転送されたコンテンツデータによってコンテンツを再生する携帯再生装置から提供される、再生されたコンテンツの部分に関する再生履歴情報に基づいて、前記受信されたコンテンツの特定の部分を抽出する抽出部、および
前記受信されたコンテンツの特定の部分に対応する前記第１のデータ形式のコンテンツデータを、前記携帯再生装置によって再生可能な第２のデータ形式のコンテンツデータに変換して前記記憶部に格納するデータ変換部
を備える情報処理装置。
【請求項１５】
受信されたコンテンツを、自装置によって再生可能な第１のデータ形式のコンテンツデータとして記憶部に格納する手段、
自装置から転送されたコンテンツデータによってコンテンツを再生する携帯再生装置から提供される、再生されたコンテンツの部分に関する再生履歴情報に基づいて、前記受信されたコンテンツの特定の部分を抽出する手段、および
前記受信されたコンテンツの特定の部分に対応する前記第１のデータ形式のコンテンツデータを、前記携帯再生装置によって再生可能な第２のデータ形式のコンテンツデータに変換して前記記憶部に格納する手段
としてコンピュータを機能させるためのプログラム。
【発明の詳細な説明】
【技術分野】
【０００１】
本発明は、情報処理方法、情報処理システム、情報処理装置およびプログラムに関し、特に、携帯再生装置にコンテンツデータを転送するための情報処理方法、情報処理システム、情報処理装置およびプログラムに関する。
【背景技術】
【０００２】
近年、映像再生用のポータブルプレーヤ、映像再生機能を有する携帯電話、ＰＤＡ（Personal  Digital  Assistant）、携帯ゲーム機などの携帯再生装置を用いて、外出先で映像コンテンツを再生して視聴することが普及している。このような映像コンテンツの１つとして、ビデオレコーダを用いて録画したテレビ番組の映像データを携帯再生装置に転送して再生することが一般的である。携帯再生装置において再生される映像コンテンツは、外出先における移動や休憩の間の、比較的短い時間で再生されることが多い。従って、携帯再生装置に転送されたテレビ番組も、ユーザの習慣や嗜好に合わせて、例えばその中の特定の番組コーナーのみが再生されることが多い。
【０００３】
一方、ビデオレコーダにおいては、記憶部として用いられるＨＤＤ（Hard  Disk  Drive）の大容量化が進んでいる。これに加えて、ビデオレコーダに複数のチューナーを搭載して、同一時間帯に放送される複数のテレビ番組を録画することも一般的になっており、ビデオレコーダに蓄積されるテレビ番組の量は増加している。このようなビデオレコーダと比較すると、携帯再生装置の記憶部の容量は小さい。また、映像データはサイズが大きく、転送にはある程度の時間がかかる。そのため、多くの場合、携帯再生装置に映像データとして転送されるテレビ番組は、ビデオレコーダに蓄積されたテレビ番組の中から選択された一部の番組である。
【０００４】
上記のビデオレコーダと携帯再生装置とでは、再生可能な映像データのデータ形式が異なる場合が多い。例えば、ビデオレコーダによって再生可能なデータ形式は、ＭＰＥＧ２（Moving  Picture  Experts  Group  phase  ２）形式であることが多く、携帯再生装置によって再生可能なデータ形式は、ＭＰＥＧ４形式またはＨ．２６４形式であることが多い。この場合、ビデオレコーダを用いて録画したテレビ番組の映像データを携帯再生装置に転送して再生するためには、データ形式の変換が必要になる。映像データのデータ形式の変換は処理負担が高く、変換後の映像データの転送よりもはるかに長い時間を要する。従来のビデオレコーダの一例によれば、１時間分の映像データについて、既にデータ形式が変換された映像データを携帯再生装置へ転送するために要する時間が約２分であるのに対し、映像データのデータ形式を変換してから携帯再生装置へ転送するために要する時間はその１０倍以上の２０〜３０分である。
【０００５】
そこで、携帯再生装置に映像データを転送するビデオレコーダにおいて、データ形式が変換された映像データを転送用映像データとして予め用意し、転送時にはデータ変換処理を行わず、予め用意されたデータを転送することによって、転送に要する時間を短縮する技術が開発されている。例えば、特許文献１には、ユーザが予め各テレビ番組に対して設定した転送順序に従って、録画時に転送用映像データを自動的に生成する技術が記載されている。また、特許文献２には、転送用映像データがサイマル放送されているテレビ番組について、録画時に転送用映像データを同時に記録する技術が記載されている。さらに、特許文献３には、テレビ番組の転送履歴に基づいて、転送の頻度が高いジャンルの番組について、録画時に転送用映像データを自動的に生成する技術が記載されている。
【先行技術文献】
【特許文献】
【０００６】
【特許文献１】特開２００４−３３６４６４号公報
【特許文献２】特開２００９−１７７５６７号公報
【特許文献３】特開２００８−２７１３９３号公報
【発明の概要】
【発明が解決しようとする課題】
【０００７】
しかし、特許文献１に記載のように、ユーザが所望に応じて各テレビ番組に対して転送順序を設定する場合、ビデオレコーダに蓄積されるテレビ番組の量が増加すると、ユーザが各番組に対して転送順序を設定するための操作が著しく煩雑になってしまう。また、特許文献２に記載のように、サイマル放送の有無を基準に転送用の映像データを用意する場合、ユーザが番組の転送を所望するか否かとは無関係に転送用の映像データが用意されるため、実際には不要なデータ形式変換によって、処理負担が高くなってしまう。また、特許文献３に記載のように、転送の頻度が高いジャンルの番組について録画時に転送用映像データを生成する場合、ユーザが携帯再生装置で実際に視聴する番組の部分以外の部分の映像データも用意されるため、データ形式変換による処理負担には依然として軽減の余地があるといえる。
【０００８】
そこで、本発明は、上記問題に鑑みてなされたものであり、本発明の目的とするところは、データ形式変換による処理負担を抑えつつ、携帯再生装置へのコンテンツデータの転送に要する時間を短縮することが可能な、新規かつ改良された情報処理方法、情報処理システム、情報処理装置およびプログラムを提供することにある。
【課題を解決するための手段】
【０００９】
上記課題を解決するために、本発明のある観点によれば、受信されたコンテンツを、自装置によって再生可能な第１のデータ形式のコンテンツデータとして記憶部に格納するステップ、自装置から転送されたコンテンツデータによってコンテンツを再生する携帯再生装置から提供される、再生されたコンテンツの部分に関する再生履歴情報に基づいて、上記受信されたコンテンツの特定の部分を抽出するステップ、および上記受信されたコンテンツの特定の部分に対応する上記第１のデータ形式のコンテンツデータを、上記携帯再生装置によって再生可能な第２のデータ形式のコンテンツデータに変換して上記記憶部に格納するステップを含む情報処理方法が提供される。
【００１０】
かかる構成によって、再生履歴情報に基づいて、ユーザが携帯再生装置における再生を所望すると推定されるコンテンツの部分に限定して、第１のデータ形式のコンテンツデータを第２のデータ形式のコンテンツデータに変換することができる。これによって、データ形式変換による処理負担を抑えつつ、携帯再生装置へのコンテンツデータの転送に要する時間を短縮することができる。
【００１１】
上記受信されたコンテンツの特定の部分は、時間単位で抽出されてもよい。
【００１２】
上記抽出するステップは、上記受信されたコンテンツと同分類のコンテンツについて、上記再生履歴情報から再生パターンを抽出するステップ、および上記受信されたコンテンツの特定の部分を、上記再生パターンに基づいて抽出するステップを含んでもよい。
【００１３】
上記受信されたコンテンツおよび上記再生されたコンテンツは、いずれもテレビ番組であり、上記同分類のコンテンツは、上記テレビ番組の番組情報に基づいて決定されてもよい。
【００１４】
上記再生パターンは、上記番組情報に含まれる番組コーナー情報に対応付けて抽出されてもよい。
【００１５】
上記再生パターンは、上記番組情報に含まれる字幕情報のキーワードに対応付けて抽出されてもよい。
【００１６】
上記再生パターンは、上記再生履歴情報に含まれる再生状態に対応付けて抽出され、上記第２のデータ形式のコンテンツデータは、上記再生パターンに対応付けられた上記再生状態で再生可能なデータに変換されてもよい。
【００１７】
上記第２のデータ形式のコンテンツデータは、上記再生履歴情報に含まれる再生時間に応じた長さで変換されてもよい。
【００１８】
上記情報処理方法は、コンテンツの部分を上記携帯再生装置に転送する順位を定義した転送順位情報に従って、上記第２のデータ形式のコンテンツデータを上記携帯再生装置に転送するステップをさらに含んでもよい。
【００１９】
上記転送するステップは、上記転送順位情報に含まれるコンテンツの部分に対応する上記第２のデータ形式のコンテンツデータが記憶部に格納されている場合、当該部分に対応する上記第２のデータ形式のコンテンツデータを上記携帯再生装置に転送し、それ以外の場合、当該部分を変換対象部分として記憶するステップ、および上記変換対象部分に対応する上記第１のデータ形式のコンテンツデータを、上記第２のデータ形式のコンテンツデータに変換し、当該データを上記携帯再生装置に転送するステップを含んでもよい。
【００２０】
上記転送順位情報は、上記再生履歴情報に基づいて生成されてもよい。
【００２１】
上記転送順位情報は、ユーザによる選択に基づいて生成されてもよい。
【００２２】
また、上記課題を解決するために、本発明の別の観点によれば、コンテンツデータを情報処理装置から取得するデータ取得部、上記コンテンツデータによってコンテンツを再生する再生部、上記再生部が再生したコンテンツの部分に関する再生履歴情報を生成し、記憶部に格納する履歴生成部、および上記再生履歴情報を上記情報処理装置に転送する履歴転送部を備える携帯再生装置と、受信されたコンテンツを、自装置によって再生可能な第１のデータ形式のコンテンツデータとして記憶部に格納する録画部、上記再生履歴情報を上記携帯再生装置から取得する履歴取得部、上記再生履歴情報に基づいて、上記受信されたコンテンツの特定の部分を抽出する抽出部、上記受信されたコンテンツの特定の部分に対応する上記第１のデータ形式のコンテンツデータを、上記携帯再生装置によって再生可能な第２のデータ形式のコンテンツデータに変換して上記記憶部に格納するデータ変換部、および上記第２のデータ形式のコンテンツデータを上記携帯再生装置に転送するデータ転送部を備える情報処理装置とを含む情報処理システムが提供される。
【００２３】
また、上記課題を解決するために、本発明のさらに別の観点によれば、受信されたコンテンツを、自装置によって再生可能な第１のデータ形式のコンテンツデータとして記憶部に格納する録画部、自装置から転送されたコンテンツデータによってコンテンツを再生する携帯再生装置から提供される、再生されたコンテンツの部分に関する再生履歴情報に基づいて、上記受信されたコンテンツの特定の部分を抽出する抽出部、および上記受信されたコンテンツの特定の部分に対応する上記第１のデータ形式のコンテンツデータを、上記携帯再生装置によって再生可能な第２のデータ形式のコンテンツデータに変換して上記記憶部に格納するデータ変換部を備える情報処理装置が提供される。
【００２４】
また、上記課題を解決するために、本発明のさらに別の観点によれば、受信されたコンテンツを、自装置によって再生可能な第１のデータ形式のコンテンツデータとして記憶部に格納する手段、自装置から転送されたコンテンツデータによってコンテンツを再生する携帯再生装置から提供される、再生されたコンテンツの部分に関する再生履歴情報に基づいて、上記受信されたコンテンツの特定の部分を抽出する手段、および上記受信されたコンテンツの特定の部分に対応する上記第１のデータ形式のコンテンツデータを、上記携帯再生装置によって再生可能な第２のデータ形式のコンテンツデータに変換して上記記憶部に格納する手段としてコンピュータを機能させるためのプログラムが提供される。
【発明の効果】
【００２５】
以上説明したように本発明によれば、データ形式変換による処理負担を抑えつつ、携帯再生装置へのコンテンツデータの転送に要する時間を短縮することができる。
【図面の簡単な説明】
【００２６】
【図１】本発明の第１の実施形態に係る情報処理システムの構成の一例を示す図である。
【図２】同実施形態に係るビデオレコーダの構成の一例を示す図である。
【図３】同実施形態に係る携帯再生装置の構成の一例を示す図である。
【図４】同実施形態に係るビデオレコーダにおいて、コンテンツであるテレビ番組の録画後に行われる処理の一例を示すフローチャートである。
【図５】同実施形態に係るビデオレコーダが行う変換対象部抽出処理の一例を示すフローチャートである。
【図６】同実施形態における番組情報のデータ構造の一例を示す図である。
【図７】同実施形態における分類情報のデータ構造の一例を示す図である。
【図８】同実施形態における再生履歴情報のデータ構造の一例を示す図である。
【図９】同実施形態に係るビデオレコーダが行う、再生パターンを抽出する処理の一例を示すフローチャートである。
【図１０】同実施形態における番組コーナー情報のデータ構造の一例を示す図である。
【図１１】同実施形態における番組コーナー情報によって得ることができる情報を説明するための図である。
【図１２】同実施形態における字幕情報のデータ構造の一例を示す図である。
【図１３】同実施形態における再生パターン情報のデータ構造の一例を示す図である。
【図１４】同実施形態における変換対象部分情報のデータ構造の一例を示す図である。
【図１５】同実施形態に係るビデオレコーダにおいて、携帯再生装置へのデータ転送時に行われる処理の一例を示すフローチャートである。
【図１６】同実施形態に係るビデオレコーダが行う転送順位情報生成処理の一例を示すフローチャートである。
【図１７】本発明の第２の実施形態に係るビデオレコーダが行うデータ変換処理の一例を示すフローチャートである。
【図１８】本発明の第３の実施形態に係るビデオレコーダにおいて、携帯再生装置へのデータ転送時に行われる処理の一例を示すフローチャートである。
【図１９】本発明の第４の実施形態に係るビデオレコーダが、転送順位情報を生成するためのユーザによる選択の操作を受け付けるためにディスプレイに表示する操作画面の一例を示す図である。
【発明を実施するための形態】
【００２７】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２８】
説明は、以下の順序で行われる。
１．第１の実施形態
１−１．情報処理システムの構成
１−２．録画後に行われる処理
１−３．転送時に行われる処理
１−４．まとめ
２．第２の実施形態
３．第３の実施形態
４．第４の実施形態
５．補足
【００２９】
＜１．第１の実施形態＞
［１−１．情報処理システムの構成］
まず、図１を参照して、本発明の第１の実施形態に係る情報処理システムの構成について説明する。
【００３０】
図１は、本発明の第１の実施形態に係る情報処理システム１０の構成の一例を示す図である。図１を参照すると、情報処理システム１０は、本発明の情報処理装置の一例であるビデオレコーダ１００、携帯再生装置２００、およびディスプレイ３００を含む。
【００３１】
ビデオレコーダ１００は、例えば、ＨＤＤレコーダ、ＤＶＤ（Digital  Versatile  Disc）レコーダ、ＢＤ（Blu-ray  Disc）レコーダなどの専用の録画再生機、またはこれらの録画再生機の機能を有するＰＣ（Personal  Computer）などの情報処理装置でありうる。ビデオレコーダ１００は、アンテナ（図示せず）を介して受信されたコンテンツであるテレビ番組を録画し、所定のデータ形式でコンテンツデータとして蓄積する。また、ビデオレコーダ１００は、蓄積したコンテンツデータを自ら再生してディスプレイ３００に表示する。さらに、ビデオレコーダ１００は、蓄積したコンテンツデータを携帯再生装置２００における再生のために転送する。
【００３２】
携帯再生装置２００は、例えば、専用のポータブルＡＶ（Audio  Visual）プレーヤ、またはＡＶプレーヤの機能を有する携帯電話、ＰＤＡ、携帯ゲーム機などの携帯端末でありうる。携帯再生装置２００は、ビデオレコーダ１００が転送したコンテンツデータを取得する。この際、ビデオレコーダ１００と携帯再生装置２００とは、例えばＵＳＢ（Universal  Serial  Bus）、ＬＡＮ（Local  Area  Network）などによって、有線または無線で接続される。また、携帯再生装置２００は、取得したコンテンツデータによって、コンテンツであるテレビ番組を再生する。さらに、携帯再生装置２００は、再生したテレビ番組の部分の履歴を蓄積し、ビデオレコーダ１００に転送する。
【００３３】
ディスプレイ３００は、例えばＨＤＭＩ（High-Definition  Multimedia  Interface）などのインターフェースによってビデオレコーダ１００に接続された表示装置である。ディスプレイ３００は、例えば液晶ディスプレイ、プラズマディスプレイなどのディスプレイ、またはプロジェクタなど各種の表示装置でありうる。また、ディスプレイ３００は、ビデオレコーダ１００と別体に構成された装置であってもよく、ビデオレコーダ１００と一体に構成されてその一部分をなすものであってもよい。ディスプレイ３００は、ビデオレコーダ１００が自ら再生したコンテンツデータによって、コンテンツであるテレビ番組を表示する。
【００３４】
上記のような情報処理システム１０において、ユーザは、ビデオレコーダ１００を用いて録画したテレビ番組を、ビデオレコーダ１００で再生し、ディスプレイ３００に表示して視聴する。また、ユーザは、ビデオレコーダ１００を用いて録画したテレビ番組を、携帯再生装置２００に転送する。さらに、ユーザは、外出先に携行した携帯再生装置２００を用いて、転送されたテレビ番組を再生して視聴する。
【００３５】
（ビデオレコーダ１００の構成）
次に、図２を参照して、本発明の第１の実施形態に係るビデオレコーダ１００の構成について説明する。
【００３６】
図２は、本発明の第１の実施形態に係るビデオレコーダ１００の構成の一例を示す図である。図２を参照すると、ビデオレコーダ１００は、チューナー１１０、録画部１２０、記憶部１３０、再生部１４０、履歴取得部１５０、データ変換部１６０、抽出部１７０、データ転送部１８０、および転送順位設定部１９０を有する。
【００３７】
上記のビデオレコーダ１００の構成要素のうち、記憶部１３０は、ＨＤＤ、ＲＡＭ（Random  Access  Memory）などの記憶装置、またはＤＶＤ、ＢＤなどのリムーバブル記憶媒体を必要に応じて組み合わせて実装される。それ以外の構成要素は、例えばＩＣ（Integrated  Circuit）などを含む回路構成によってハードウェアとして実装されてもよく、また記憶部１３０に格納されたプログラムをＣＰＵ（Central  Processing  Unit）が実行することによってソフトウェアとして実装されてもよい。
【００３８】
また、図示していないが、ビデオレコーダ１００は、ユーザによる選択などの指示を取得するために、リモートコントローラ、操作パネル、キーボード、マウスなどの入力装置を必要に応じて有する。さらに、図示していないが、ビデオレコーダ１００は、携帯再生装置２００、または別体のディスプレイ３００に接続するために、ＵＳＢ、ＬＡＮ、ＨＤＭＩなどのインターフェースを必要に応じて有する。
【００３９】
チューナー１１０は、アンテナ（図示せず）が受信した放送波を、復調、圧縮符号化などによって処理する。これによって、チューナー１１０は、コンテンツであるテレビ番組の放送信号を取得する。放送信号には、テレビ番組のＡＶデータの他に、ＳＩ（Service  Information）、ＥＰＧ（Electronic  Program  Guide）情報などの、テレビ番組に関連するメタデータが含まれていてもよい。
【００４０】
録画部１２０は、チューナー１１０が取得した放送信号を、再生用データ１３１として記憶部１３０に格納する。再生用データ１３１は、ビデオレコーダ１００の再生部１４０によって再生可能な第１のデータ形式のコンテンツデータであり、例えばＭＰＥＧ２形式のＡＶデータである。録画部１２０はさらに、放送信号に含まれるＳＩ、ＥＰＧ情報などのメタデータを、番組情報１３５として記憶部１３０に格納してもよい。
【００４１】
記憶部１３０は、ビデオレコーダ１００において扱われるデータを永続的または一時的に記憶する。記憶部１３０が記憶するデータは、再生用データ１３１、転送用データ１３３、番組情報１３５、および再生履歴情報１３７を含む。このうち再生用データ１３１は、録画部１２０によって格納される。また、番組情報１３５は、録画部１２０によって放送信号に含まれるメタデータが格納されたものであってもよいし、インターネット（図示せず）経由で配信されたものが番組情報取得部（図示せず）によって格納されたものであってもよい。転送用データ１３３、および再生履歴情報１３７については後述する。
【００４２】
再生部１４０は、入力装置（図示せず）を介して取得したユーザの指示に基づいて、記憶部１３０に格納された再生用データ１３１を再生し、ディスプレイ３００に表示する。再生部１４０は、再生データ１３１によるテレビ番組の映像および音声に加えて、ユーザが再生、録画などの操作を行うための操作画面や、番組情報１３５に基づく番組の情報を表示してもよい。
【００４３】
履歴取得部１５０は、携帯再生装置２００と通信し、携帯再生装置２００において再生されたテレビ番組の部分に関する再生履歴情報１３７を取得し、記憶部１３０に格納する。履歴取得部１５０は、ビデオレコーダ１００と携帯再生装置２００とが接続された場合に自動的に通信を開始し、再生履歴情報１３７を取得するように設定されていてもよい。また、履歴取得部１５０は、入力装置（図示せず）を介して取得したユーザの指示に基づいて、携帯再生装置２００との通信を開始し、再生履歴情報１３７を取得するように設定されていてもよい。
【００４４】
データ変換部１６０は、再生用データ１３１として記憶部１３０に格納されているテレビ番組のうちの特定の部分について、再生用データ１３１を転送用データ１３３に変換して、記憶部１３０に格納する。転送用データ１３３は、携帯再生装置２００によって再生可能な第２のデータ形式のコンテンツデータであり、例えばＭＰＥＧ４形式、またはＨ．２６４形式のＡＶデータである。データ変換部１６０が再生用データ１３１を転送用データ１３３に変換する処理を行うタイミングについては、後に詳述する。
【００４５】
抽出部１７０は、データ変換部１６０による変換の対象となる、テレビ番組の特定の部分を抽出する。抽出部１７０が、記憶部１３０に格納された再生履歴情報１３７に基づいてテレビ番組の特定の部分を抽出する処理については、後に詳述する。
【００４６】
データ転送部１８０は、記憶部１３０に格納された転送用データ１３３を、転送順位設定部１９０が設定した転送順位に従って携帯再生装置２００に転送する。データ転送部１８０は、ビデオレコーダ１００と携帯再生装置２００とが接続された場合に、自動的に転送用データ１３３を携帯再生装置２００に転送するように設定されていてもよい。また、データ転送部１８０は、入力装置（図示せず）を介して取得したユーザの指示に基づいて、転送用データ１３３を携帯再生装置２００に転送するように設定されていてもよい。データ転送部１８０は、転送用データ１３３とともに、記憶部１３０に格納された番組情報１３５から取得したＥＰＧ情報などのメタデータをさらに転送するように設定されていてもよい。
【００４７】
転送順位設定部１９０は、データ転送部１８０が携帯再生装置２００に転送するコンテンツの部分の順位を定義した転送順位を生成し、データ転送部に提供する。転送順位設定部１９０は、記憶部１３０に格納された再生履歴情報１３７に基づいて、自動的に転送順位を生成するように設定されていてもよい。また、転送順位設定部１９０は、入力装置（図示せず）を介して取得したユーザの指示に基づいて転送順位を生成するように設定されていてもよい。
【００４８】
（携帯再生装置２００の構成）
次に、図３を参照して、本発明の第１の実施形態に係る携帯再生装置２００の構成について説明する。
【００４９】
図３は、本発明の第１の実施形態に係る携帯再生装置２００の構成の一例を示す図である。図３を参照すると、携帯再生装置２００は、データ取得部２１０、記憶部２２０、再生部２３０、表示部２４０、履歴生成部２５０、および履歴転送部２６０を有する。
【００５０】
上記の携帯再生装置２００の構成要素のうち、記憶部２２０は、ＲＯＭ（Read  Only  Memory）、ＲＡＭなどの記憶装置、またはフラッシュメモリなどのリムーバブル記憶媒体を必要に応じて組み合わせて実装される。それ以外の構成要素は、例えばＩＣ（Integrated  Circuit）などを含む回路構成によってハードウェアとして実装されてもよく、また記憶部２２０に格納されたプログラムをＣＰＵ（Central  Processing  Unit）が実行することによってソフトウェアとして実装されてもよい。
【００５１】
また、図示していないが、携帯再生装置２００は、ユーザによる選択などの指示を取得するために、操作パネル、タッチスクリーンなどの入力装置を必要に応じて有する。さらに、図示していないが、携帯再生装置２００は、ビデオレコーダ１００に接続するために、ＵＳＢ、ＬＡＮなどのインターフェースを必要に応じて有する。
【００５２】
データ取得部２１０は、ビデオレコーダ１００から転送されたテレビ番組のＡＶデータを取得する。データ取得部２１０はさらに、取得したデータをコンテンツデータ２２１として記憶部２２０に格納する。データ取得部２１０は、テレビ番組のＡＶデータとともに、ＥＰＧ情報などのメタデータをさらに取得するように設定されていてもよい。
【００５３】
記憶部２２０は、携帯再生装置２００において扱われるデータを永続的または一時的に記憶する。記憶部２２０が記憶するデータは、コンテンツデータ２２１、および再生履歴情報２２３を含む。このうちコンテンツデータ２２１は、データ取得部２１０によって格納される。再生履歴情報２２３については後述する。
【００５４】
再生部２３０は、ユーザの指示を受けて、記憶部２２０に格納されたコンテンツデータ２２１を再生し、コンテンツであるテレビ番組を表示部２４０に表示する。再生部２３０は、コンテンツデータ２２１によるテレビ番組の映像および音声に加えて、ユーザが再生などの操作を行うための操作画面などを表示してもよい。
【００５５】
表示部２４０は、再生部２３０が再生したコンテンツであるテレビ番組を表示する。表示部２４０は、例えば携帯再生装置２００と一体に構成された液晶ディスプレイである。また、例えば外出先で携帯再生装置２００を別体の表示装置に接続して、携帯再生装置２００からの外部出力によってコンテンツを視聴するような場合は、当該表示装置が表示部２４０として機能する。
【００５６】
履歴生成部２５０は、再生部２３０が再生したコンテンツの部分に基づいて、再生履歴情報２２３を生成し、記憶部２２０に格納する。具体的には、履歴生成部２５０は、再生部２３０が再生するコンテンツの再生開始と再生終了を監視し、再生開始時刻および再生終了時刻を、コンテンツを特定する情報とともに再生履歴情報２２３として記憶部２２０に格納する。なお、再生履歴情報２２３については、ビデオレコーダ１００における処理の説明においてさらに詳述する。
【００５７】
履歴転送部２６０は、記憶部２２０に格納された再生履歴情報２２３を、ビデオレコーダ１００に転送する。履歴転送部２６０は、携帯再生装置２００とビデオレコーダ１００とが接続された場合に、自動的に再生履歴情報２２３をビデオレコーダ１００に転送するように設定されていてもよい。また、履歴転送部２６０は、入力装置（図示せず）を介して取得したユーザの指示に基づいて、再生履歴情報２２３をビデオレコーダ１００に転送するように設定されていてもよい。
【００５８】
［１−２．録画後に行われる処理］
次に、図４を参照して、本発明の第１の実施形態に係るビデオレコーダ１００において、コンテンツであるテレビ番組の録画後に行われる処理について説明する。
【００５９】
図４は、本発明の第１の実施形態に係るビデオレコーダ１００において、コンテンツであるテレビ番組の録画後に行われる処理の一例を示すフローチャートである。図４を参照すると、まず、録画部１２０が、チューナー１１０によって受信されたコンテンツを、再生用データ１３１として記憶部１３０に格納する（ステップＳ１０１）。ここで、再生用データ１３１は、ビデオレコーダ１００が自装置によって再生可能な第１のデータ形式のコンテンツデータである。既に述べたように、第１のデータ形式は例えばＭＰＥＧ２形式であり、コンテンツデータはテレビ番組のＡＶデータである。ここで、録画部１２０は、さらに、放送信号に含まれるＳＩ、ＥＰＧ情報などのメタデータを、番組情報１３５として記憶部１３０に格納してもよい。
【００６０】
次に、抽出部１７０が、再生履歴情報１３７に基づいて、変換対象部分抽出処理を行う（ステップＳ１０３）。この処理によって、ステップＳ１０１において受信されたコンテンツであるテレビ番組に、変換処理の対象とすべき特定の部分が存在する場合、その部分が抽出される。特定の部分が存在しない場合は、何も抽出されない。変換対象部分抽出処理については後に詳述する。
【００６１】
次に、データ変換部１６０が、ステップＳ１０３の変換対象部分抽出処理によって、変換対象部分が抽出されたか否かを判定する（ステップＳ１０５）。抽出されなかったと判定された場合、データ変換部１６０は処理を終了する。
【００６２】
ステップＳ１０５において、変換対象部分が抽出されたと判定された場合、次に、データ変換部１６０は、変換対象部分に対応する再生用データ１３１を転送用データ１３３に変換して記憶部１３０に格納し（ステップＳ１０７）、処理を終了する。ここで、転送用データ１３３は、携帯再生装置２００によって再生可能な第２のデータ形式のコンテンツデータである。既に述べたように、第２のデータ形式は例えばＭＰＥＧ４形式、またはＨ．２６４形式であり、コンテンツデータはテレビ番組のＡＶデータである。
【００６３】
なお、上記の各処理は、ステップＳ１０１を除いて、必ずしもコンテンツであるテレビ番組の受信時に行われなくてもよい。例えば、ステップＳ１０３以降の処理を、他の処理が行われない深夜の時間に一括して行うように設定してもよい。これによって、抽出や変換などの処理による処理負担を分散させることができる。
【００６４】
（変換対象部抽出処理）
次に、図５〜図１４を参照して、本発明の第１の実施形態に係るビデオレコーダ１００が行う変換対象部抽出処理（図４のステップＳ１０３）について詳しく説明する。
【００６５】
図５は、本発明の第１の実施形態に係るビデオレコーダ１００が行う変換対象部抽出処理の一例を示すフローチャートである。図５を参照すると、まず、抽出部１７０は、番組情報１３５に基づいて対象番組を分類する（ステップＳ２０１）。ここで、対象番組とは、図４のステップＳ１０１において受信されたコンテンツであるテレビ番組である。対象番組を分類するために用いられる番組情報１３５、およびその分類の結果である分類情報６０１について、以下で図６および図７を参照して説明する。
【００６６】
図６は、番組情報１３５のデータ構造の一例を示す図である。番組情報１３５は、録画部１２０が再生用データ１３１として記憶部１３０に格納されたテレビ番組について、例えば放送信号に含まれるＳＩ、ＥＰＧ情報などのメタデータを元に生成される。図６を参照すると、番組情報１３５は、番組ＩＤ、タイトル、ファイル名、放送局、放送日時、およびジャンルを含む。ここで、番組ＩＤは、番組情報１３５のレコードの単位である番組を一意に識別するＩＤである。タイトルは、番組のタイトルであって、ＥＰＧ情報などから取得される。ファイル名は、番組に対応する再生用データ１３１のファイル名である。例えば再生用データ１３１が階層構造で記憶部１３０に格納されるような場合には、ファイル名はファイルパスを含むものであってもよい。放送局は、番組を放送する放送局であって、ＥＰＧ情報などから取得される。放送日時は、番組が放送される日付と、番組の開始および終了の時刻とを含み、ＥＰＧ情報などから取得される。ジャンルは、番組をその内容によっていくつかのグループに分ける単位で、たとえば図示されているように“ニュース”“経済”などである。ジャンルも、ＥＰＧ情報などから取得される。
【００６７】
図７は、分類情報６０１のデータ構造の一例を示す図である。分類情報６０１は、図５のステップＳ２０１における抽出部１７０の処理の結果として、記憶部１３０に格納される。図７を参照すると、分類情報６０１は、番組ＩＤ、分類ＩＤ、タイトル、放送日時、およびジャンルを含む。ここで、番組ＩＤ、タイトル、放送日時、ジャンルは、番組情報１３５における情報と同様の情報である。分類ＩＤは、それぞれの番組を所定の基準によって分類した分類群を相互に識別するためのＩＤである。所定の基準とは、例えば、番組のタイトル、ジャンル、放送時間、出演者などである。例えば、図示されている例のうち、分類ＩＤ“２００１”の分類群は、“ニュースＡＢＣ”という番組のタイトルが共通することによって同分類とされている。また、分類ＩＤ“２００２”の分類群は、番組のタイトルの一部分に
“笑い”という文字が共通して含まれ、“バラエティ”というジャンルが共通することによって同分類とされている。
【００６８】
再び図５を参照して、次に、抽出部１７０は、対象番組と同分類の番組の再生履歴が存在するか否かを判定する（ステップＳ２０３）。具体的には、抽出部１７０は、対象番組に対応する番組ＩＤの分類情報６０１のレコードを参照し、さらに、当該レコードの分類ＩＤをもつ再生履歴情報１３７のレコードを検索する。ここで、条件に合致する再生履歴情報１３７のレコードが存在しない場合、すなわち対象番組と同分類の番組の再生履歴が存在しないと判定された場合、抽出部１７０は処理を終了する。ここで用いられる再生履歴情報１３７について、以下で図８を参照して説明する。
【００６９】
図８は、再生履歴情報１３７のデータ構造の一例を示す図である。再生履歴情報１３７は、ビデオレコーダ１００から転送されたコンテンツデータによってコンテンツであるテレビ番組を再生する携帯再生装置２００から提供され、履歴取得部１５０によって記憶部１３０に格納される。図８を参照すると、再生履歴情報１３７は、再生履歴ＩＤ、番組ＩＤ、分類ＩＤ、再生開始位置、再生終了位置、再生状態、再生開始日時の情報を含む。
【００７０】
以下で、再生履歴情報１３７に含まれる情報について、それぞれ説明する。再生履歴ＩＤは、再生履歴情報１３７のレコードの単位である再生履歴を一意に識別するＩＤである。再生履歴情報１３７は、携帯再生装置２００において再生されたテレビ番組の部分について生成されるため、同一のテレビ番組について、例えば異なる部分の再生、同じ部分の繰り返し再生などによって、複数の再生履歴レコードが生成されることもありうる。番組ＩＤは、番組情報１３５に含まれる番組ＩＤに対応する。番組情報１３５と再生履歴情報１３７とは、番組ＩＤによって紐付けることができる。分類ＩＤは、分類情報６０１に含まれる分類ＩＤに対応する。分類情報６０１と再生履歴情報１３７とは、分類ＩＤによって紐付けることができる。番組ＩＤおよび分類ＩＤは、例えば、ビデオレコーダ１００から携帯再生装置２００へのコンテンツデータの転送の際に、転送用データ１３３に伴って携帯再生装置２００に転送される。
【００７１】
再生開始位置および再生終了位置は、番組中のどの位置が再生されたかを示す情報である。ここでは、番組開始時からの経過秒数が、再生開始位置および再生終了位置を示すために用いられている。再生状態は、コンテンツが再生された際の映像および音声の再生状態を示す情報である。携帯再生装置２００においては、コンテンツの映像および音声の両方が再生されるほか、ユーザがコンテンツを視聴する環境に応じて、コンテンツの音声のみ、または映像のみも再生されうる。そのような場合に対応して、再生状態は“音声、映像”、“音声”または“映像”のように記録される。再生開始日時は、携帯再生装置２００におけるコンテンツの再生開始の時刻である。
【００７２】
再び図５を参照して、ステップＳ２０３において、対象番組と同分類の番組の再生履歴情報１３７が存在すると判定された場合、抽出部１７０は、再生履歴情報１３７から再生パターンを抽出する（ステップＳ２０５）。ここで行われる、再生パターンを抽出する処理について、以下で図９〜１３を参照して説明する。
【００７３】
図９は、本発明の第１の実施形態に係るビデオレコーダ１００が行う、再生パターンを抽出する処理の一例を示すフローチャートである。図９を参照すると、まず、抽出部１７０は、再生履歴情報１３７から、対象番組と同分類の番組の再生履歴を取得する（ステップＳ３０１）。
【００７４】
次に、抽出部１７０は、ステップＳ３０１において取得した再生履歴を、再生開始位置および再生終了位置でグループ化して再生パターンを抽出する（ステップＳ３０３）。ここで、再生開始位置および再生終了位置は、図８を参照して説明したように、例えば番組開始時からの経過秒数として表される。抽出部１７０は、再生開始位置または再生終了位置が所定の範囲内にある（例えば、“再生開始位置が３６０〜４２０”かつ“再生終了位置が７２０〜８４０”のように）、再生開始位置と再生終了位置との間の区間が重複する、などの条件によって再生履歴をグループ化し、再生パターンを抽出する。
【００７５】
上記の処理によって抽出される再生パターンは、携帯再生装置２００において再生された同分類の番組の部分をグループ化したものであるため、ユーザが携帯再生装置２００に転送することを所望する部分を表していると推定される。ユーザの所望がより強い部分を抽出するために、グループ化された再生履歴の数に基づいて、再生パターンとして抽出するか否かを決定してもよい。例えば、グループ化された再生履歴が、所定の閾値を上回る数である場合に、グループ化された再生履歴を再生パターンとして抽出するように、抽出部１７０が設定されていてもよい。
【００７６】
次に、抽出部１７０は、番組コーナー情報６０３を取得し、再生パターンに対応付ける（ステップＳ３０５）。ここで用いられる番組コーナー情報６０３について、以下で図１０および図１１を参照して説明する。
【００７７】
図１０は、番組コーナー情報６０３のデータ構造の一例を示す図である。番組コーナー情報は、例えばＷＥＢ上のメタデータ配信サービスなどから取得することができる。図１０を参照すると、番組コーナー情報６０３は、番組ＩＤ、コーナーＩＤ、コーナー開始位置、コーナー終了位置、および詳細情報を含む。番組ＩＤは、番組情報１３５に含まれる番組ＩＤに対応する。番組情報１３５と番組コーナー情報６０３とは、番組ＩＤによって紐付けることができる。コーナーＩＤは、テレビ番組中のコーナーを一意に識別するためのＩＤである。コーナー開始位置およびコーナー終了位置は、コーナーの開始と終了の位置を、例えば番組開始からの経過秒数で表したものである。詳細情報は、例えばコーナータイトルや内容の要約などの、コーナーに関する詳細情報である。
【００７８】
図１１は、番組コーナー情報６０３によって得ることができる情報を説明するための図である。図１１を参照すると、３月３日放送分および３月４日放送分の“ニュースＡＢＣ”のコーナー構成が示されている。どちらの日においても、番組開始からのコーナーの並び順は同一である。しかし、各コーナーの開始位置はそれぞれの日で異なっている。例えば、“ニューヨーク情報”は、３月３日放送分では番組開始後６分００秒から開始されているのに対して、３月４日放送分では番組開始後８分０３秒から開始されている。
【００７９】
上記の例において、ユーザが、それぞれの日の“ニュースＡＢＣ”の“ニューヨーク情報”のコーナーのみを携帯再生装置２００で再生した場合、再生開始位置および再生終了位置の情報のみによって生成された再生パターンは、ユーザの所望を正確に反映していない可能性がある。ユーザは、「番組開始後、何秒から何秒まで」ではなく、「“ニューヨーク情報”のコーナー」を所望して再生していると考えられるからである。そこで、番組コーナー情報６０３がもつ各放送日のコーナー開始位置およびコーナー終了位置の情報を、同じ日の再生履歴の再生開始位置および再生終了位置と対応付けることによって、“コーナー単位での再生”を再生パターンに反映させることができる。
【００８０】
再び図９を参照して、抽出部１７０は、次に、字幕情報６０５からキーワードを取得し、再生パターンに対応付ける（ステップＳ３０７）。ここで用いられる字幕情報６０５について、以下で図１２を参照して説明する。
【００８１】
図１２は、字幕情報６０５のデータ構造の一例を示す図である。字幕情報６０５は、例えば放送信号に含まれるＳＩ、ＥＰＧ情報などのメタデータから取得することができる。図１２を参照すると、字幕情報６０５は、番組ＩＤ、字幕ＩＤ、字幕開始位置、および字幕内容を含む。番組ＩＤは、番組情報１３５に含まれる番組ＩＤに対応する。番組情報１３５と字幕情報６０５とは、番組ＩＤによって紐付けることができる。字幕ＩＤは、テレビ番組中の字幕を、例えば一文ごとなどの単位ごとに区切って一意に識別するためのＩＤである。字幕開始位置は、字幕の開始の位置を、例えば番組開始からの経過秒数で表したものである。字幕内容は、字幕の内容を例えばテキストデータで表したものである。
【００８２】
ここで、抽出部１７０は、再生パターンに対応する再生履歴の再生開始位置と、字幕情報６０５に含まれる字幕開始位置とを対応付けることによって、字幕情報６０５から再生履歴に対応する字幕レコードを取得する。抽出部１７０は、さらに、取得した字幕レコードの字幕の内容に対して形態素解析などを行い、字幕において頻出するキーワードを取得して再生パターンに対応付ける。なお、キーワードは、番組コーナー情報６０３に含まれるコーナーの詳細情報から、同様に形態素解析によって取得されてもよい。このように、再生パターンにキーワードを対応付けることによって、ユーザがコンテンツの再生部分を選択する基準となるキーワードを、再生パターンに反映させることができる。
【００８３】
再び図９を参照して、抽出部１７０は、次に、再生履歴情報１３７から再生状態を推定し、再生パターンに対応付ける（ステップＳ３０９）。再生状態は、ユーザがコンテンツを再生したときの状態に応じて、例えば“音声、映像”、“音声”または“映像”のように記録されているものである。抽出部１７０は、特定の再生パターンについて、ユーザが“音声”、“映像”のような特定の再生状態で再生する頻度が高い場合、その再生状態を再生パターンに対応付ける。この場合、データ変換部１６０は、特定の再生状態が対応付けられた再生パターンに対応する変換対象部分を変換する際に、当該再生状態で転送用データ１３３を生成する。なお、ユーザが用いる再生状態が特に定まっていない場合、再生パターンには“音声、映像”の再生状態が対応付けられる。
【００８４】
上記の処理によって抽出される再生パターン情報６０７について、以下で図１３を参照して説明する。図１３は、再生パターン情報６０７のデータ構造の一例を示す図である。図１３を参照すると、再生パターン情報６０７は、再生パターンＩＤ、分類ＩＤ、コーナー位置、キーワード、再生状態、および再生回数を含む。再生パターンＩＤは、再生パターン情報のレコードの単位である再生パターンを一意に識別するＩＤである。分類ＩＤは、分類情報６０１および再生履歴情報１３７に含まれる分類ＩＤに対応する。コーナー位置は、図９のステップＳ３０５において、番組コーナー情報６０３を用いて対応付けられた情報であり、番組開始から数えたコーナーの位置である。キーワードは、ステップＳ３０７において、字幕情報６０５を用いて対応付けられた情報である。再生状態は、ステップＳ３０９において、再生履歴情報１３７を用いて対応付けられた情報である。再生回数は、再生パターンを生成する際にグループ化された再生履歴の数である。
【００８５】
上記の再生パターン情報６０７に含まれる再生パターンの各レコードにおいて、コーナー位置およびキーワードは、そのいずれかが設定されていればよい。例えば、ユーザが、携帯再生装置２００において、テーマに関わらず、番組の特定のコーナーのみを毎回再生しているような場合には、再生パターンＩＤ“４００２”のレコードのように、共通するキーワードは検出されず、コーナー位置のみが設定されうる。また、ユーザが、携帯再生装置２００において、コーナーに関わらず、特定のテーマに関する番組の部分のみを再生しているような場合には、再生パターンＩＤ“４００３”のレコードのように、キーワードのみが設定されうる。
【００８６】
再び図５を参照して、抽出部１７０は、次に、対象番組に対応する再生パターンが存在するか否かを判定する（ステップＳ２０７）。具体的には、抽出部１７０は、対象番組に対応する番組ＩＤの分類情報６０１のレコードを参照し、さらに、当該レコードの分類ＩＤをもつ再生パターン情報６０７のレコードを検索する。ここで、条件に合致する再生パターン情報６０７のレコードが存在しない場合、すなわち対象番組に対応する再生パターンが存在しないと判定された場合、抽出部１７０は処理を終了する。一方、対象番組に対応する再生パターンが存在すると判定された場合、抽出部１７０は、再生パターンに対応する対象番組の部分を、変換対象部分として抽出する（ステップＳ２０９）。ここで抽出される変換対象部分情報６０９について、以下で図１４を参照して説明する。
【００８７】
図１４は、変換対象部分情報６０９のデータ構造の一例を示す図である。図１４を参照すると、変換対象部分情報６０９は、変換対象部分ＩＤ、番組ＩＤ、ファイル名、再生パターンＩＤ、変換開始位置、変換終了位置、および再生状態を含む。変換対象部分ＩＤは、変換対象部分情報６０９のレコードの単位である変換対象部分を一意に識別するＩＤである。番組ＩＤは、対象番組の番組ＩＤである。ファイル名は、番組ＩＤが一致する番組情報１３５のレコードから取得された、再生用データ１３１のファイル名である。再生パターンＩＤは、変換対象部分に対応する再生パターンのＩＤである。変換開始位置および変換終了位置は、変換対象部分の始点と終点を、番組開始からの経過秒数によって表す。再生状態は、変換対象部分に対応する再生パターンに対応付けられた再生状態の情報である。
【００８８】
ここで、抽出部１７０は、対象番組に対応する再生パターンに含まれるコーナー位置、またはキーワードに基づいて、対象番組の変換対象部分を時間単位で抽出する。具体的には、再生パターンにコーナー位置が設定されている場合、抽出部１７０は、対象番組について番組コーナー情報６０３を参照し、当該コーナー位置に対応するコーナーが存在する場合、そのコーナーの開始位置および終了位置を、変換対象部分の変換開始位置および変換終了位置に設定する。対応するコーナーが存在しない場合、変換対象部分は抽出されない。また、再生パターンにキーワードが設定されている場合、抽出部１７０は、対象番組について字幕情報６０５を参照し、当該キーワードを含む字幕が存在する場合、その字幕の開始位置に基づいて、変換対象部分の変換開始位置および変換終了位置を設定する。当該キーワードを含む字幕が存在しない場合、変換対象部分は抽出されない。
【００８９】
上記のようにして抽出された変換対象部分情報６０９は、データ変換部１６０によって、以下のように用いられる。まず、データ変換部１６０は、変換対象部分情報６０９に含まれるファイル名の情報から、変換の対象とすべき再生用データ１３１を特定する。次に、データ変換部１６０は、変換対象部分情報６０９に含まれる変換開始位置および変換終了位置の情報から、再生用データ１３１の変換の対象とすべき部分を特定する。データ変換部１６０は、この特定された部分について、再生用データ１３１のデータ形式を変換して転送用データ１３３を生成し、記憶部１３０に格納する。この際、変換対象部分情報６０９に含まれる再生状態として、“音声”または“映像”が設定されている場合、データ変換部１６０は、音声のみ、または映像のみのデータとして転送用データ１３３を生成する。それ以外の場合、データ変換部１６０は、映像および音声を含むＡＶデータとして転送用データ１３３を生成する。
【００９０】
［１−３．転送時に行われる処理］
次に、図１５を参照して、本発明の第１の実施形態に係るビデオレコーダ１００において、携帯再生装置２００へのデータ転送時に行われる処理について説明する。
【００９１】
図１５は、本発明の第１の実施形態に係るビデオレコーダ１００において、携帯再生装置２００へのデータ転送時に行われる処理の一例を示すフローチャートである。図１５を参照すると、まず、転送順位設定部１９０が、転送順位情報を生成する（ステップＳ４０１）。転送順位情報は、携帯再生装置２００への転送の対象となる転送対象部分を、所定の順位で配列した情報である。転送順位情報生成処理については、後に詳述する。
【００９２】
次に、データ転送部１８０は、転送順位情報に次の転送対象部分が存在するか否かを判定する（ステップＳ４０３）。ここで、次の転送対象部分が存在しない場合、データ転送部１８０は、転送順位情報に含まれるすべての転送対象部分について処理が行われたと判断し、処理を終了する。
【００９３】
ステップＳ４０３において、転送順位情報に次の転送対象部分が存在すると判定された場合、データ転送部１８０は、その転送対象部分を取得する（ステップＳ４０５）。ここで、転送対象部分は、転送の対象とする部分を時間単位で指定したものである。
【００９４】
次に、データ転送部１８０は、ステップＳ４０５において取得した転送対象部分に対応する転送用データ１３３が記憶部１３０に格納されているか否かを判定する（ステップＳ４０７）。ここで、対応する転送用データ１３３が記憶部１３０に格納されている場合、データ転送部１８０は、当該転送用データ１３３を携帯再生装置２００に転送する（ステップＳ４１１）。この場合、転送時のデータ変換処理が必要ないため、ビデオレコーダ１００から携帯再生装置２００へのコンテンツデータの転送を高速に行うことができる。
【００９５】
一方、ステップＳ４０７において、転送対象部分に対応する転送用データ１３３が記憶部１３０に格納されていないと判定された場合、データ変換部１６０が、転送対象部分に対応する再生用データ１３１を、転送用データ１３３に変換する（ステップＳ４０９）。これはつまり、転送用データ１３３を予め用意していない従来のビデオレコーダと同じ動作である。本実施形態においては、転送対象部分になると推定される番組の部分の転送用データ１３３を予め用意するため、このステップＳ４０９が実行される可能性は高くないと考えられる。続いて、データ転送部１８０は、ステップＳ４０９において変換された転送用データ１３３を、携帯再生装置２００に転送する（ステップＳ４１１）。
【００９６】
ステップＳ４１１において、転送用データ１３３を携帯再生装置２００に転送した後、データ転送部１８０は、再びステップＳ４０３を実行し、転送順位情報に含まれるすべての転送対象部分に対して処理を行う。
【００９７】
（転送順位情報生成処理）
次に、図１６を参照して、本発明の第１の実施形態に係るビデオレコーダ１００が行う転送順位情報生成処理（図１５のステップＳ４０１）について説明する。
【００９８】
図１６は、本発明の第１の実施形態に係るビデオレコーダ１００が行う転送順位情報生成処理の一例を示すフローチャートである。本実施形態における転送順位情報は、転送用データ１３３のリストと、再生履歴情報１３７に基づいて生成される。図１６を参照すると、まず、転送順位設定部１９０は、転送用データ１３３のリストを取得する（ステップＳ５０１）。ここで取得される転送用データ１３３のリストは、記憶部１３０に格納されている転送用データ１３３の情報のリストである。転送用データ１３３の情報は、例えば図１４を参照して説明した変換対象部分情報６０９に類似したデータ構造を有し、分類ＩＤを含む。
【００９９】
次に、転送順位設定部１９０は、転送用データ１３３のリストに、次の転送用データ１３３の情報が存在するか否かを判定する（ステップＳ５０３）。ここで、次の転送用データ１３３の情報が存在すると判定された場合、転送順位設定部１９０は、転送用データ１３３のリストから、次の転送用データ１３３の情報を取得する（ステップＳ５０５）。
【０１００】
次に、転送順位設定部１９０は、ステップＳ５０５において取得した転送用データ１３３の情報について、分類ＩＤを用いて、再生履歴情報１３７から、同分類の番組の再生履歴を取得する（ステップＳ５０７）。次に、転送順位設定部１９０は、ステップ５０７において取得した再生履歴をカウントし、当該カウントを転送用データ１３３の情報に対応付ける（ステップＳ５０９）。ここで再生履歴は、番組単位でカウントされてもよく、また番組の部分の単位でカウントされてもよい。
【０１０１】
ステップＳ５０９において、カウントを転送用データ１３３の情報に対応付けた後、転送順位設定部１９０は、再びステップＳ５０３を実行し、転送用データ１３３のリストに含まれるすべての転送用データ１３３の情報に対して処理を行う。すべての転送用データ１３３の情報に対して処理が行われ、ステップ５０３において、次の転送用データ１３３の情報が存在しないと判断された場合、転送順位設定部１９０は、これまでに処理された転送用データ１３３の情報を、ステップＳ５０９において対応付けられたカウントが大きい順に転送順位情報に設定し（ステップＳ５１１）、処理を終了する。
【０１０２】
［１−４．まとめ］
以上説明した本発明の第１の実施形態によれば、ビデオレコーダ１００は、受信したテレビ番組を、自装置によって再生可能なデータ形式の再生用データ１３１として記憶部１３０に格納する。さらに、ビデオレコーダ１００は、再生用データ１３１のうち、携帯再生装置２００から提供される再生履歴情報１３７に基づいて抽出された変換対象部分を、携帯再生装置２００によって再生可能なデータ形式の転送用データ１３３に変換し、記憶部１３０に格納する。かかる構成によって、ユーザが携帯再生装置２００における再生を所望すると推定される番組の部分に限定して、再生用データ１３１を転送用データ１３３に変換することができ、データ形式変換によるビデオレコーダ１００の処理負担を抑えることができる。
【０１０３】
また、本実施形態において、変換対象部分情報６０９は、時間単位で抽出される。かかる構成によって、番組の必要な部分だけを変換対象部分として抽出することができる。また、本実施形態において、変換対象部分情報６０９は、受信したテレビ番組と同分類のテレビ番組についての再生パターンに基づいて抽出される。かかる構成によって、テレビ番組の特定の部分に対するユーザの嗜好を、変換対象部分情報６０９に反映することができる。また、本実施形態において、再生パターンは、番組コーナー情報６０３、字幕情報６０５のキーワード、または再生履歴情報１３７に含まれる再生状態に対応付けて抽出される。かかる構成によって、ユーザの多様な習慣や嗜好を再生パターンに反映させることができる。
【０１０４】
また、本実施形態において、ビデオレコーダ１００は、所定の転送順位情報に従って、転送用データ１３３を携帯再生装置２００に転送する。かかる構成によって、携帯再生装置２００へのコンテンツデータの転送に要する時間を短縮することができる。また、本実施形態において、転送順位情報は、再生履歴情報１３７に基づいて自動的に生成される。かかる構成によって、転送用データ１３３が予め用意されたテレビ番組の部分を、優先的に携帯再生装置２００に転送することができる。
【０１０５】
＜２．第２の実施形態＞
次に、図１７を参照して、本発明の第２の実施形態について説明する。第２の実施形態は、データ変換部１６０が、変換対象部分の再生用データ１３１を転送用データ１３３に変換して記憶部１３０に格納する処理において、データが、再生履歴情報１３７から取得した再生時間に応じた長さで変換されることを特徴としている。
【０１０６】
なお、第２の実施形態は、第１の実施形態と比べて、上記の処理（図４のステップＳ１０７に相当）において相違するが、その他の機能構成は、第１の実施形態と略同一であるので、詳細説明は省略する。
【０１０７】
図１７は、本発明の第２の実施形態に係るビデオレコーダ１００が行うデータ変換処理の一例を示すフローチャートである。図１７を参照すると、まず、データ変換部１６０は、変換対象部分情報６０９を取得する（ステップＳ６０１）。変換対象部分情報６０９のデータ構造は、第１の実施形態において図１４を参照して説明したデータ構造と同様である。
【０１０８】
次に、データ変換部１６０は、変換対象部分情報６０９に次の変換対象部分が存在するか否かを判定する（ステップＳ６０３）。ここで、次の変換対象部分が存在しない場合、データ変換部１６０は、変換対象部分情報６０９に含まれるすべての変換対象部分について処理が行われたと判断し、処理を終了する。
【０１０９】
ステップＳ６０３において、変換対象部分情報６０９に次の変換対象部分が存在すると判定された場合、データ変換部１６０は、その変換対象部分に対応する再生用データ１３１を、転送用データ１３３に変換し、記憶部１３０に格納する（ステップＳ６０５）。
【０１１０】
次に、データ変換部１６０は、ここまでの処理により変換した転送用データ１３３の累計再生時間を算出し、当該累計再生時間が、所定の時間以内であるか否かを判定する（ステップＳ６０７）。ここで、所定の時間とは、再生履歴情報１３７に含まれる再生時間に応じた長さの時間である。例えば、ビデオレコーダ１００から携帯再生装置２００へのコンテンツデータの転送が１日に１回行われる場合、上記の所定の時間は、再生履歴情報１３７における１日あたりの再生時間として算出される。携帯再生装置２００における再生時間は、例えば、再生履歴に含まれる再生開始位置と再生終了位置の差として求めることができる。
【０１１１】
ステップＳ６０７において、累計再生時間が所定の時間以内であると判定された場合、データ変換部１６０は、再びステップＳ６０３を実行し、変換対象部分情報６０９に含まれる次の変換対象部分について処理を行う。一方、ステップＳ６０７において、累計再生時間が所定の時間を上回ったと判定された場合、データ変換部１６０は、処理を終了する。
【０１１２】
以上で説明した本実施形態の構成によって、ユーザが実際に再生すると推定される時間を超えた時間の転送用データ１３３が生成されることを防ぐことができ、データ形式変換によるビデオレコーダ１００の処理負担を抑えることができる。
【０１１３】
＜３．第３の実施形態＞
次に、図１８を参照して、本発明の第３の実施形態について説明する。第３の実施形態は、転送順位情報に含まれるコンテンツの部分に対応する転送用データ１３３が記憶部１３０に格納されていない場合に、当該部分を変換対象部分として一旦記憶することを特徴としている。
【０１１４】
なお、第３の実施形態は、第１の実施形態および第２の実施形態と比べて、上記の処理（図１５の処理に相当）において相違するが、その他の機能構成は、第１の実施形態または第２の実施形態と略同一であるので、詳細説明は省略する。
【０１１５】
図１８は、本発明の第３の実施形態に係るビデオレコーダ１００において、携帯再生装置２００へのデータ転送時に行われる処理の一例を示すフローチャートである。図１８を参照すると、まず、転送順位設定部１９０が、転送順位情報を生成する（ステップＳ７０１）。ここでの転送順位情報生成処理は、第１の実施形態において図１６を用いて説明した処理と同様の処理である。
【０１１６】
次に、データ転送部１８０は、転送順位情報に次の転送対象部分が存在するか否かを判定する（ステップＳ７０３）。ここで、転送順位情報に次の転送対象部分が存在すると判定された場合、データ転送部１８０は、その転送対象部分を取得する（ステップＳ７０５）。ここで、転送対象部分は、転送の対象とする部分を時間単位で指定したものである。
【０１１７】
次に、データ転送部１８０は、ステップＳ７０５において取得した転送対象部分に対応する転送用データ１３３が記憶部１３０に格納されているか否かを判定する（ステップＳ７０７）。ここで、対応する転送用データ１３３が記憶部１３０に格納されている場合、データ転送部１８０は、当該転送用データ１３３を携帯再生装置２００に転送する（ステップＳ７０９）。この場合、転送時のデータ変換処理が必要ないため、ビデオレコーダ１００から携帯再生装置２００へのコンテンツデータの転送を高速に行うことができる。
【０１１８】
一方、ステップＳ７０７において、転送対象部分に対応する転送用データ１３３が記憶部１３０に格納されていない場合、データ転送部１８０は、当該転送対象部分の情報を、変換対象部分として、記憶部１３０に一時的に記憶される変換対象リストに追加する（ステップＳ７１１）。
【０１１９】
ステップＳ７０９、またはステップＳ７１１を実行した後、データ転送部１８０は、再びステップＳ７０３を実行し、転送順位情報に含まれるすべての転送対象部分に対して処理を行う。
【０１２０】
一方、ステップＳ７０３において、転送順位情報に次の転送対象部分が存在しないと判定された場合、データ転送部１８０は、少なくとも、転送用データ１３３が予め記憶部１３０に格納されている転送対象部分についてはすべて処理が行われたと判断する。この場合、データ転送部１８０は、次に、記憶部１３０に一時的に記憶されている変換対象リストを取得する（ステップＳ７１３）。
【０１２１】
次に、データ転送部１８０は、変換対象リストに次の変換対象部分が存在するか否かを判定する（ステップＳ７１５）。ここで、変換対象リストに次の変換対象部分が存在すると判定された場合、データ転送部１８０は、その変換対象部分を取得する（ステップＳ７１７）。次に、データ変換部１６０が、変換対象部分に対応する再生用データ１３１を、転送用データ１３３に変換する（ステップＳ７１９）。続いて、データ転送部１８０は、ステップＳ７１９において変換された転送用データ１３３を、携帯再生装置２００に転送する（ステップＳ７２１）。
【０１２２】
ステップＳ７２１において、転送用データ１３３を携帯再生装置２００に転送した後、データ転送部１８０は、再びステップＳ７１５を実行し、変換対象リストに含まれるすべての変換対象部分に対して処理を行う。ステップＳ７１５において、変換対象リストに次の変換対象部分が存在しないと判定された場合、データ転送部１８０は、変換対象リストに含まれるすべての変換対象部分について処理が行われたと判断し、処理を終了する。
【０１２３】
以上で説明した本実施形態の構成とすることによって、転送順位情報に含まれるテレビ番組の部分のうち、転送用データ１３３が予め用意されている部分について、先行して携帯再生装置２００に転送することができる。従って、転送用データ１３３が予め用意されていない部分について再生用データ１３１を転送用データ１３３に変換する処理の途中で処理を中断した場合にも、携帯再生装置２００にある程度の量のコンテンツデータを転送することができる。
【０１２４】
＜４．第４の実施形態＞
次に、図１９を参照して、本発明の第４の実施形態について説明する。第４の実施形態は、転送順位情報が、ユーザによる選択に基づいて生成されることを特徴としている。
【０１２５】
なお、第４の実施形態は、第１の実施形態、第２の実施形態、および第３の実施形態と比べて、上記の処理（図１５のステップＳ４０１、または図１８のステップＳ７０１に相当）において相違するが、その他の機能構成は、第１の実施形態、第２の実施形態、または第３の実施形態と略同一であるので、詳細説明は省略する。
【０１２６】
図１９は、本発明の第４の実施形態に係るビデオレコーダ１００が、転送順位情報を生成するためのユーザによる選択の操作を受け付けるためにディスプレイ３００に表示する操作画面の一例を示す図である。ここでは、例として、ユーザが番組“ニュースＡＢＣ”を選択した場合を図示している。“ニュースＡＢＣ”では、２つの部分に対応する転送用データ１３３が記憶部１３０に格納されており、１つはコーナー「ニューヨーク情報」の部分、もう１つは、特定のキーワードとは関連付けられていないコーナーの部分（例えば図１３の再生パターンＩＤ“４００２”のような）であるものとする。
【０１２７】
この場合、操作画面には、例えば、図示するようなコンテキストメニューが表示される。このコンテキストメニューは、記憶部１３０に格納されている転送用データ１３３に基づいて生成することができる。図示されている例では、コーナー「ニューヨーク情報」の部分を選択する“「ニューヨーク情報」を転送”、特定のキーワードとは関連付けられていないコーナーの部分もあわせて、転送用データ１３３が記憶部１３０に格納されている部分をすべて選択する“おまかせ転送”、転送用データ１３３には関わりなく、番組すべてを転送する“すべて転送”が表示されている。
【０１２８】
ここで、例えば、ユーザが“「ニューヨーク情報」を転送”を選択する操作をした場合、入力装置を介して当該指示を取得した転送順位設定部１９０は、コーナー「ニューヨーク情報」の部分に対応する転送用データ１３３の情報を、転送順位情報に設定する。
【０１２９】
以上で説明した本実施形態の構成とすることによって、転送順位情報にユーザの嗜好を直接的に反映させることができる。また、操作画面を介してユーザに転送用データ１３３の存在を知らせることで、ユーザが転送用データ１３３を活用して転送順位情報を設定するよう誘導することができる。
【０１３０】
＜５．補足＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１３１】
例えば、上記実施形態では、携帯再生装置における再生履歴情報のみに基づいて、再生パターンの抽出や転送順位情報の設定をしたが、本発明はかかる例に限定されない。例えば、番組のジャンルや出演者といった属性情報、番組内の盛り上がり、音声（話し声や音楽）の有無に基づいて上記の処理を行ってもよい。
【０１３２】
また、上記実施形態では、ビデオレコーダが、データ形式の変換や携帯再生装置への転送の処理を行う構成としたが、本発明はかかる例に限定されない。例えば、ビデオレコーダが行う処理を、ビデオレコーダにインターネットなどのネットワークで接続されたコンピュータなどの、他の情報処理装置によって行ってもよい。
【符号の説明】
【０１３３】
１０      情報処理システム
１００    ビデオレコーダ
１２０    録画部
１３０    記憶部
１３１    再生用データ
１３３    転送用データ
１３５    番組情報
１３７    再生履歴情報
１５０    履歴取得部
１６０    データ変換部
１７０    抽出部
１８０    データ転送部
１９０    転送順位設定部
２００    携帯再生装置
２１０    データ取得部
２２０    記憶部
２３０    再生部
２５０    履歴生成部
２６０    履歴転送部
６０３    番組コーナー情報
６０５    字幕情報
６０７    再生パターン情報
６０９    変換対象部分情報
【図１】
2011239140.tif 000003
【図２】
2011239140.tif 000004
【図３】
2011239140.tif 000005
【図４】
2011239140.tif 000006
【図５】
2011239140.tif 000007
【図６】
2011239140.tif 000008
【図７】
2011239140.tif 000009
【図８】
2011239140.tif 000010
【図９】
2011239140.tif 000011
【図１０】
2011239140.tif 000012
【図１１】
2011239140.tif 000013
【図１２】
2011239140.tif 000014
【図１３】
2011239140.tif 000015
【図１４】
2011239140.tif 000016
【図１５】
2011239140.tif 000017
【図１６】
2011239140.tif 000018
【図１７】
2011239140.tif 000019
【図１８】
2011239140.tif 000020
【図１９】
2011239140.tif 000021